(57)【要約】【課題】本発明の目的は、表示の必要の無い夜間には表示制御装置をスリープ状態にすることにより消費電力低減および１日あたりの稼働時間の低減による故障率低減を実現する。また、配信がある場合にはスリープ状態への移行を抑止することにより夜間配信を可能とすることにある。【解決手段】本発明のコンテンツ表示システムは、コンテンツと該コンテンツの表示スケジュールとをネットワークを介して配信するサーバと、サーバからネットワークを介してコンテンツ及び表示スケジュールを受信して、表示スケジュールに従ってコンテンツを表示装置に出力する表示制御装置とを備えたコンテンツ表示システムであって、サーバは前記表示制御装置にコンテンツ情報の配信に先立って配信予告情報を送信し、表示制御装置は所定時間までに配信される配信予告情報に基づいて表示装置の稼働状態とスリープ状態を切り替え制御することを特徴とする。【選択図】  図１
2014216708.tif 000002
【特許請求の範囲】
【請求項１】
コンテンツと該コンテンツの表示スケジュールとをネットワークを介して配信するサーバと、前記サーバからネットワークを介してコンテンツ及び表示スケジュールを受信して、前記表示スケジュールに従って前記コンテンツを表示装置に出力する表示制御装置とを備えたコンテンツ表示システムであって、
前記サーバは、前記表示制御装置にコンテンツ情報の配信に先立って配信予告情報を送信し、
前記表示制御装置は、所定時間までに配信される前記配信予告情報に基づいて前記表示装置の稼働状態とスリープ状態を切り替え制御することを特徴とするコンテンツ表示システム。
【請求項２】
請求項１に記載のコンテンツ表示システムにおいて、
前記表示制御装置は、配信有りの配信予告情報を受信した場合には、少なくとも予告された配信時間には前記表示装置が稼働状態になっていることを特徴とするコンテンツ表示システム。
【請求項３】
請求項１に記載のコンテンツ表示システムにおいて、
前記表示制御装置は、配信無しの配信予告情報を受信した場合または配信予告情報を受信しなかった場合には前記スケジュールに従って前記表示装置を稼働状態とスリープ状態を切り替え制御することを特徴とするコンテンツ表示システム。
【請求項４】
コンテンツと該コンテンツの表示スケジュールとをネットワークを介して配信するサーバと、前記サーバからネットワークを介してコンテンツ及び表示スケジュールを受信して、前記表示スケジュールに従って前記コンテンツを表示装置に出力する表示制御装置とを備えたコンテンツ表示システムのコンテンツ表示方法において、
前記サーバが前記表示制御装置にコンテンツ情報の配信に先立って配信予告情報を送信するステップと、
前記表示制御装置が所定時間までに配信される前記配信予告情報に基づいて前記表示装置の稼働状態とスリープ状態を切り替え制御するステップと、
を有することを特徴とするコンテンツ表示方法。
【請求項５】
請求項４に記載のコンテンツ表示方法において、
前記表示制御装置は、配信有りの配信予告情報を受信するステップと、予告された配信時間に前記表示装置を稼働状態にするステップと、
を有することを特徴とするコンテンツ表示方法。
【請求項６】
請求項４に記載のコンテンツ表示方法において、
前記表示制御装置は、配信無しの配信予告情報を受信するステップまたは配信予告情報を受信しなかったことを確認するステップと、前記スケジュールに従って前記表示装置を稼働状態とスリープ状態を切り替え制御するステップと、
を有することを特徴とするコンテンツ表示方法。
【発明の詳細な説明】
【技術分野】
【０００１】
本発明は、コンテンツ表示システムに関し、特にコンテンツ表示システムの省電力制御に関するものである。
【背景技術】
【０００２】
従来、広告主から依頼されたコンテンツを、サーバがスケジュールと一緒に銀行等のコンテンツ表示店舗に設けられた表示制御装置に配信し、表示制御装置がスケジュールに従ってコンテンツを表示端末に表示すると共に、サーバが広告主店舗用のスケジュールを作成して、広告主用スケジュールと当該広告主が注文したコンテンツとを表示装置に出力し、表示装置が広告主用スケジュールに従ってコンテンツを表示するコンテンツ表示システムの技術が開示されている（例えば、特許文献１参照。）。
【先行技術文献】
【特許文献】
【０００３】
【特許文献１】特開２００５−１１５４４５号公報
【発明の概要】
【発明が解決しようとする課題】
【０００４】
本発明の目的は、表示の必要の無い夜間には表示制御装置をスリープ状態にすることにより消費電力の低減および１日あたりの稼働時間の低減による故障率低減を実現する。また、配信がある場合にはスリープ状態への移行を抑止することにより夜間配信を可能とすることにある。
【課題を解決するための手段】
【０００５】
本発明のコンテンツ表示システムは、コンテンツと該コンテンツの表示スケジュールとをネットワークを介して配信するサーバと、サーバからネットワークを介してコンテンツ及び表示スケジュールを受信して、表示スケジュールに従ってコンテンツを表示装置に出力する表示制御装置とを備えたコンテンツ表示システムであって、サーバは前記表示制御装置にコンテンツ情報の配信に先立って配信予告情報を送信し、表示制御装置は所定時間までに配信される配信予告情報に基づいて表示装置の稼働状態とスリープ状態を切り替え制御することを特徴とする。
【０００６】
本発明のコンテンツ表示システムは、コンテンツと該コンテンツの表示スケジュールとをネットワークを介して配信するサーバと、サーバからネットワークを介してコンテンツ及び表示スケジュールを受信して、表示スケジュールに従ってコンテンツを表示装置に出力する表示制御装置とを備えたコンテンツ表示システムであって、サーバは前記表示制御装置にコンテンツ情報の配信に先立って配信予告情報を送信し、表示制御装置は所定時間までに配信される配信予告情報に基づいて表示装置の稼働状態とスリープ状態を切り替え制御し、配信有りの配信予告情報を受信した場合には少なくとも予告された配信時間には表示装置が稼働状態になっていることを特徴とする。
【０００７】
本発明のコンテンツ表示システムは、コンテンツと該コンテンツの表示スケジュールとをネットワークを介して配信するサーバと、サーバからネットワークを介してコンテンツ及び表示スケジュールを受信して、表示スケジュールに従ってコンテンツを表示装置に出力する表示制御装置とを備えたコンテンツ表示システムであって、サーバは前記表示制御装置にコンテンツ情報の配信に先立って配信予告情報を送信し、表示制御装置は所定時間までに配信される配信予告情報に基づいて表示装置の稼働状態とスリープ状態を切り替え制御し、表示制御装置は配信無しの配信予告情報を受信した場合または配信予告情報を受信しなかった場合にはスケジュールに従って表示装置を稼働状態とスリープ状態を切り替え制御することを特徴とする。
【０００８】
本発明のコンテンツ表示システムのコンテンツ表示方法は、コンテンツと該コンテンツの表示スケジュールとをネットワークを介して配信するサーバと、サーバからネットワークを介してコンテンツ及び表示スケジュールを受信して、表示スケジュールに従ってコンテンツを表示装置に出力する表示制御装置とを備えたコンテンツ表示システムのコンテンツ表示方法であって、サーバが表示制御装置にコンテンツ情報の配信に先立って配信予告情報を送信するステップと、表示制御装置が所定時間までに配信される配信予告情報に基づいて表示装置の稼働状態とスリープ状態を切り替え制御するステップとを有することを特徴とする。
【０００９】
本発明のコンテンツ表示システムのコンテンツ表示方法は、コンテンツと該コンテンツの表示スケジュールとをネットワークを介して配信するサーバと、サーバからネットワークを介してコンテンツ及び表示スケジュールを受信して、表示スケジュールに従ってコンテンツを表示装置に出力する表示制御装置とを備えたコンテンツ表示システムのコンテンツ表示方法であって、サーバが表示制御装置にコンテンツ情報の配信に先立って配信予告情報を送信するステップと、表示制御装置が所定時間までに配信される配信予告情報に基づいて表示装置の稼働状態とスリープ状態を切り替え制御するステップと、表示制御装置は配信有りの配信予告情報を受信するステップと、予告された配信時間に表示装置を稼働状態にするステップとを有することを特徴とする。
【００１０】
本発明のコンテンツ表示システムのコンテンツ表示方法は、コンテンツと該コンテンツの表示スケジュールとをネットワークを介して配信するサーバと、サーバからネットワークを介してコンテンツ及び表示スケジュールを受信して、表示スケジュールに従ってコンテンツを表示装置に出力する表示制御装置とを備えたコンテンツ表示システムのコンテンツ表示方法であって、サーバが表示制御装置にコンテンツ情報の配信に先立って配信予告情報を送信するステップと、表示制御装置が所定時間までに配信される配信予告情報に基づいて表示装置の稼働状態とスリープ状態を切り替え制御するステップと、表示制御装置は配信無しの配信予告情報を受信するステップまたは配信予告情報を受信しなかったことを確認するステップと、スケジュールに従って表示装置を稼働状態とスリープ状態を切り替え制御するステップとを有することを特徴とする。
【発明の効果】
【００１１】
本発明によれば、表示の必要の夜間にはスリープ状態による消費電力の低減および稼働時間の減少による故障率の低減を実現することができる。
また、配信がある場合にはスリープ状態への移行を抑止することにより夜間配信が可能となる。
【図面の簡単な説明】
【００１２】
【図１】本発明の実施の形態に係るコンテンツ表示システムの概略システム構成図である。
【図２】本発明の一実施例である表示制御装置のプログラム構成図である。
【図３】本発明の一実施例であるスリープスケジュールファイルを説明するための図である。
【図４】本発明の一実施例である配信予告ステータスファイルを説明するための図である。
【図５】本発明の一実施例である表示制御装置のスリープ制御プロセスのフローチャートである。
【図６】本発明の一実施例であるサーバの配信予告電文と、配信終了電文を説明するための図である。
【図７】本発明の一実施例であるサーバの配信処理のフローチャートである。
【発明を実施するための形態】
【００１３】
本発明の実施の形態について図面を参照しながら説明する。
図１は、本発明の実施の形態に係るコンテンツ表示システムの概略システム構成図である。
図１において、コンテンツ表示システムは、コンテンツを配信するセンター装置１０に設けられた配信サーバ１１と、入力装置１２と、ネットワーク３０を介して配信サーバ１１に接続されたコンテンツ表示装置２０−１〜２０−ｎとから構成されている。
コンテンツ表示装置２０−１〜２０−ｎは、表示制御装置２１と、表示装置２２とから構成されている。
【００１４】
（表示制御装置のプログラム構成）
図２は、本発明の一実施例である表示制御装置のプログラム構成図である。
表示制御装置２１のプログラムは、受信プログラム２０２と、表示スケジュールプログラム２０３と、スリープ制御プログラム２０５と、コンテンツ表示プログラム２０７と、配信予告ステータスファイル２０１と、スリープスケジュールファイル２０４と、コンテンツ表示スケジュールファイル２０６で構成されている。
【００１５】
受信プログラム２０２は、配信サーバ１１からのコンテンツ情報や表示スケジュールデータを受信してコンテンツ表示スケジュールファイル２０６に書込む（２０８）。
また、配信予告を配信サーバ１１から受信した場合は配信予告ステータスファイル２０１に書込む（２０７）。
配信終了時にも配信予告ステータスファイル２０１に書込む（２０７）。
【００１６】
表示スケジュールプログラム２０３は、 表示スケジュールデータに従ってコンテンツ表示プログラム２０７にコンテンツ切替要求を送る（２０９）。
コンテンツ表示プログラム２０７は、表示スケジュールプログラム２０３からのコンテンツ切替要求２０９に従ってコンテンツデータを読込み、表示する
スリープ制御プログラム２０５は、スリープスケジュールからスリープ開始時刻の判断をして開始時刻になればスリープ状態に移行する。なお、スリープ移行前には復帰時刻に復帰できるようにタイマを設定する。
【００１７】
（スリープ制御プログラム処理概要）
次に、図３〜図５を用いてスリープ制御プログラム２０５の処理フローの概要について説明する。
図３は、本発明の一実施例であるスリープスケジュールファイルを説明するための図である。
図３のスリープスケジュールファイルは、スリープスケジュールファイル２０４に記憶しているスリープのスケジュールである。図３は、登録数が２であり、開始時刻１が２１：００：００、終了時刻１が２３：３０：００であり、開始時刻２が０１：００：００、終了時刻２が０７：３０：００である。
図４は、本発明の一実施例である配信予告ステータスファイルを説明するための図である。
図４の配信予告ステータスファイルは、配信予告ステータスファイル２０１に記憶している配信予告ステータスのデータである。図４は、配信予告時刻がｘｘ：ｘｘ：ｘｘであり、最大配信時間が２５２００秒であり、配信終了時刻がｙｙ：ｙｙ：ｙｙである。
【００１８】
図５は、本発明の一実施例である表示制御装置のスリープ制御プロセスのフローチャートである。
図５において、スリープ制御プログラム２０５は、スリープスケジュールファイル２０４から開始時刻１の２１：００：００と、開始時刻２の０１：００：００のデータを取得する（Ｓ５１）。
次に、スリープ制御プログラム２０５は、開始時刻になったかを判定し（Ｓ５２）、開始時刻になった場合（ＹＥＳ）にはステップＳ５３の処理に進み、開始時刻になっていない場合（ＮＯ）にはステップＳ５１の処理に戻る。
【００１９】
スリープ制御プログラム２０５は、ステップＳ５３で配信予告チェック処理を実施し、ステップＳ５４の処理に進む。（ステップＳ５３の詳細処理については後述する）
スリープ制御プログラム２０５は、ステップＳ５４の処理でスリープ可能かを判定し、スリープ可能である場合（ＹＥＳ）にはステップＳ５５の処理に進み、スリープ可能でない場合（ＮＯ）にはステップＳ５１の処理に戻る。
【００２０】
スリープ制御プログラム２０５は、ステップＳ５５の処理でスリープスケジュールファイル２０４から開始時刻１に対応する終了時刻１の２３：３０：００と、開始時刻２に対応する終了時刻２の０７：３０：００のデータを取得し、ステップＳ５６の処理に進む。
スリープ制御プログラム２０５は、ステップＳ５６の処理でスリープを終了する時刻すなわち稼働状態に復帰する時刻である終了時刻１の２３：３０：００と、終了時刻２の０７：３０：００を設定し、ステップＳ５７の処理に進む。
【００２１】
スリープ制御プログラム２０５は、スリープの開始時刻になり次第、スリープ状態に移行し（Ｓ５７）、スリープを開始する（Ｓ５８）。
スリープ状態に移行とは、メモリ上で実行中のプログラムやデータを保持したまま、次回の起動に必要なタイマ機能を除いたハードウェア（ＣＰＵ、ハードディスク、ビデオコントローラ、ネットワークコントローラ、電源の冷却ファンなど）の最低限の電源供給または停止状態に移行することである。
【００２２】
スリープ制御プログラム２０５は、スリープの終了時刻になり次第、稼働状態に復帰し（Ｓ５９）、ステップＳ５１の処理に戻る。
【００２３】
次に、図３のスリープスケジュールファイルに登録された時刻で、スリープ動作をした場合の一実施例について説明する。
図３のスリープスケジュールファイルは夜間にコンテンツ情報を配信する場合である。
スリープ制御プログラム２０５は、スリープ動作を開始時刻１の２１：００：００から終了時刻１の２３：３０：００までの間で行い、次に、開始時刻２の０１：００：００から終了時刻１の０７：３０：００までの間で行う。稼働状態である２３：３０：００から０１：００：００の間は、コンテンツ情報の配信待ち状態である。
【００２４】
（配信予告チェック処理詳細）
次に、配信予告チェック処理（Ｓ５３）の詳細について、図５を用いて説明する。
スリープ制御プログラム２０５は、ステップＳ５３１の処理で配信予告ステータスファイル２０１から配信予告の時刻を取得し、ステップＳ５３２の処理に進む。
スリープ制御プログラム２０５は、ステップＳ５３２の処理で配信予告の時刻が定義なし（空白）か否かを判定し、配信予告の時刻が定義なし（空白）の場合（ＹＥＳ）にはスリープ可として配信予告チェック処理（Ｓ５３）を終了し、配信予告の時刻が定義あり（配信予告時刻のデータあり）の場合（ＮＯ）にはステップＳ５３３の処理に進む。
【００２５】
スリープ制御プログラム２０５は、ステップＳ５３３の処理で配信予告ステータスファイル２０１から配信予告時刻が設定されていれば最大配信時間を取得し、ステップＳ５３４の処理に進む。最大配信時間とは配信が継続して実施できる上限の時間を示す。配信開始からこの時間分が経過すると配信は強制的に終了される。
スリープ制御プログラム２０５は、ステップＳ５３４の処理で配信予告の時刻と現在の時刻の差を計算して、ステップＳ５３５の処理に進む。
【００２６】
スリープ制御プログラム２０５は、ステップＳ５３５の処理で、ステップＳ５３４の算出値が配信最大時間を超えているか否かを判定し、配信最大時間を超えている場合（ＹＥＳ）にはステップＳ５３６の処理に進み、配信最大時間を超えていない場合（ＮＯ）にはスリープ可として配信予告チェック処理（Ｓ５３）を終了する。
【００２７】
スリープ制御プログラム２０５は、ステップＳ５３６の処理で配信予告ステータスファイル２０１から配信終了時刻を取得してステップＳ５３７の処理に進む。
スリープ制御プログラム２０５は、Ｓ５３７の処理で取得した配信終了時刻が配信予告時刻より後か否かを判定し、配信終了時刻が配信予告時刻より後の場合（ＹＥＳ）にはスリープ可と判断する。また、配信予告時刻と同じまたは前の場合（ＮＯ）にはスリープ不可と判断する。そして、配信予告チェック処理（Ｓ５３）を終了する。
上記の判定でスリープ可となっていない場合はもうすぐ配信がある、または配信中であるためスリープ不可とする。
【００２８】
（配信サーバ処理）
次に、図６〜図７を用いて配信サーバ１１の処理について説明する。
図６は、本発明の一実施例であるサーバの配信予告電文と、配信終了電文を説明するための図である。
図６（Ａ）は配信予告電文を説明するための図であり、配信予告電文は配信予告と、送信時刻（年月日時分秒）と、最大配信時間（秒）で構成されている。
図６（Ｂ）は配信終了電文を説明するための図であり、配信終了電文は配信終了と、送信時刻（年月日時分秒）で構成されている。
図７は、本発明の一実施例であるサーバの配信処理のフローチャートである。
配信サーバ１１の配信プログラムは、自動配信開始時刻を００時００分として説明する。
【００２９】
図７において、配信サーバ１１の配信プログラムは、ステップＳ７１の処理で自動配信開始時刻である００時００分になったか否かを判定し、自動配信開始時刻である００時００分になっていない場合（ＮＯ）にはステップＳ７１の処理に戻り、自動配信開始時刻である００時００分になった場合（ＹＥＳ）にはステップＳ７２の処理に進む。
【００３０】
配信プログラムは、ステップＳ７２の処理でコンテンツや表示スケジュールの更新状況や配信履歴から配信が必要な表示制御装置の一覧を作成し、ステップＳ７３の処理に進む。
配信プログラムは、表示制御装置の一覧でリストアップされた表示制御装置に対して配信予告電文を配信する（Ｓ７３）。
表示制御装置２１では配信予告電文の送信時刻および最大配信時間を配信予告ステータスファイル２０１に記憶する。配信予告電文の配信は各表示制御装置に対して１つまたは複数同時に配信される。
【００３１】
配信プログラムは、ステップＳ７４の処理でリストアップされた全表示制御装置に対して配信予告電文が配信されたか否かを判定し、配信が終了していない場合（ＮＯ）にはステップＳ７３の処理に戻り、配信が終了した場合（ＹＥＳ）にはステップＳ７５の処理に進む。
配信プログラムは、ステップＳ７５の処理でコンテンツ・表示スケジュールなどの配信を実施する。コンテンツの配信は各表示制御装置に対して１つまたは複数同時に配信される。
【００３２】
配信プログラムは、ステップＳ７６の処理で表示制御装置へのコンテンツ配信が終了すれば配信終了電文を配信する。
表示制御装置２１では配信終了電文の送信時刻を配信予告ステータスファイル２０１に記憶する。
【００３３】
配信プログラムは、ステップＳ７７の処理で配信対象の全表示制御装置に対して配信終了電文が配信されたか否かを判定し、配信が終了していない場合（ＮＯ）にはステップＳ７５の処理に戻り、配信が終了した場合（ＹＥＳ）にはステップＳ７１の処理に進む。
上記は設定された時刻に自動で配信する処理であるが、手動で配信を実行したときも配信予告も同様に配信することが可能である。
【００３４】
上述の本発明によれば、表示の必要の夜間にはスリープ状態による消費電力の低減および稼働時間の減少による故障率の低減を実現することができる。
また、配信がある場合にはスリープ状態への移行を抑止することにより夜間配信が可能となる。
【００３５】
以上本発明について詳細に説明したが、本発明は、ここに記載されたコンテンツ表示システムに限定されるものではなく、上記以外のコンテンツ表示システムに広く適用することができることは言うまでもない。
【符号の説明】
【００３６】
１０：センター装置、１１：配信サーバ、１２：入力装置、２０−１〜２０−ｎ：コンテンツ表示装置、２１：表示制御装置、２２：表示装置、３０：ネットワーク。
【図１】
2014216708.tif 000003
【図２】
2014216708.tif 000004
【図３】
2014216708.tif 000005
【図４】
2014216708.tif 000006
【図５】
2014216708.tif 000007
【図６】
2014216708.tif 000008
【図７】
2014216708.tif 000009